(57)【要約】  圧縮機及びポンプが停止している間に、熱媒体温度が予め設定される温度範囲外となると、圧縮機及びポンプを駆動して、冷媒と熱媒体とを中間熱交換器で熱交換させ、熱媒体を加温又は冷却して熱媒体の温度を温度範囲内にする熱媒体温度調整運転モードを備えているものである。
2014057550.tif 000002
【特許請求の範囲】
【請求項１】
圧縮機と、熱源側熱交換器と、少なくとも１つの膨張弁と、冷媒と熱媒体とを熱交換する中間熱交換器とを有し、これらを冷媒配管で接続して構成した冷凍サイクル回路と、 
前記中間熱交換器と、前記熱媒体を搬送するポンプと、利用側熱交換器とを有し、これらが熱媒体配管で接続されて構成された熱媒体循環回路と、を有する空気調和装置において、
前記圧縮機及び前記ポンプが停止している間に、熱媒体温度が予め設定される温度範囲外となると、
前記圧縮機及び前記ポンプを駆動して、前記冷媒と前記熱媒体とを前記中間熱交換器で熱交換させ、前記熱媒体を加温又は冷却して前記熱媒体の温度を前記温度範囲内にする熱媒体温度調整運転モードを備えている
ことを特徴とする空気調和装置。
【請求項２】
前記熱媒体の温度を検出する温度センサーと、
少なくとも前記温度センサーの検出結果に基づいて前記圧縮機及び前記ポンプを制御し、前記熱媒体温度調整運転モードを行う制御装置と、
複数の前記中間熱交換器と、
前記熱媒体循環回路のうちの前記利用側熱交換器の前記熱媒体の入口側及び出口側のそれぞれに設けられ、複数の前記中間熱交換器を通過した前記熱媒体を、どの前記利用側熱交換器に供給するかを切り換える複数の流路切替弁と、
を有し、
前記制御装置は、
少なくとも２つ以上の前記中間熱交換器から前記利用側熱交換器に前記熱媒体が供給されるように前記流路切替弁を制御し、
前記中間熱交換器の１つから前記利用側熱交換器に供給される前記熱媒体と、前記複数の中間熱交換器の他の１つから前記利用側熱交換器に供給される前記熱媒体とが、前記流路切替弁を介して混合する
ことを特徴とする請求項１に記載の空気調和装置。
【請求項３】
前記制御装置は、
前記温度センサーの検出結果が、前記温度範囲より大きい場合において、
前記中間熱交換器を蒸発器として機能させ、当該中間熱交換器を通過する前記熱媒体を冷却する
ことを特徴とする請求項２に記載の空気調和装置。 
【請求項４】
前記制御装置は、
前記圧縮機及び前記ポンプを駆動してから予め定めた時間が経過した後の前記温度センサーの検出結果が、前記温度範囲の下限値にハンチング防止定数を加えた値より大きく、且つ、前記温度範囲の上限値以下である場合には、
前記圧縮機及び前記ポンプを停止する
ことを特徴とする請求項３に記載の空気調和装置。
【請求項５】
前記制御装置は、
前記温度センサーの検出結果が、前記温度範囲より小さい場合において、
前記中間熱交換器を放熱器として機能させ、当該中間熱交換器を通過する前記熱媒体を加温する
ことを特徴とする請求項２に記載の空気調和装置。
【請求項６】
前記制御装置は、
前記圧縮機及び前記ポンプを駆動してから予め定めた時間が経過した後の前記温度センサーの検出結果が、前記温度範囲の上限値にハンチング防止定数を減じた値より小さく、且つ、前記温度範囲の下限値以上である場合には、
前記圧縮機及び前記ポンプを停止する
ことを特徴とする請求項５に記載の空気調和装置。
【請求項７】
前記制御装置は、
前記ポンプを駆動させるよりも前、又は、駆動させるのと同時に、前記熱媒体の循環流路が確保される方向に前記流路切替弁を開き、
前記中間熱交換器と前記利用側熱交換器との間を前記熱媒体が循環するようにしている
ことを特徴とする請求項２〜６のいずれか一項に記載の空気調和装置。
【請求項８】
外気温度を検出する外気温度センサーを有し、
前記制御装置は、
前記外気温度センサーに検出結果に基づいて、予め定めた期間内の外気の平均温度を算出し、
当該算出した平均温度に基づいて、前記温度範囲の上限値及び下限値を決定する
ことを特徴とする請求項２〜７のいずれか一項に記載の空気調和装置。
【発明の詳細な説明】
【技術分野】
【０００１】
本発明は、ビル用マルチエアコンなどの空気調和装置に関するものである。
【背景技術】
【０００２】
従来の空気調和装置であるビル用マルチエアコンにおいては、室外に配置した熱源装置である室外機と室内に配置した室内機の間に冷媒を循環させることにより、室内に冷熱または温熱を搬送していた。冷媒としては、ＨＦＣ（ハイドロフルオロカーボン）冷媒が多く使われており、ＣＯ２  等の自然冷媒を使うものも提案されている。 【０００３】
また、別の従来の空気調和装置であるチラーには、室外に配置した熱源装置にて、冷熱または温熱を生成し、室外機内に配置した熱交換器で水や不凍液等の熱媒体に冷熱又は温熱を伝えるものがある（たとえば、特許文献１参照）。このようなチラーでは、熱媒体に伝達された冷熱又は温熱を、室内機であるファンコイルユニットやパネルヒータ等に搬送し、冷房や暖房を実施することができるようになっている。 
このチラーでは、室外で冷媒と水との熱交換を行い、その水を室内機まで搬送するため、水の搬送動力が非常に大きくなる分、省エネルギー性が低減してしまうという問題があった。
また、チラーでは、水回路側のポンプを長時間停止させると、冷媒回路の冷媒の冷熱が、熱交換器の近傍の水に伝達され続けてしまい、配管中の水が凍結する可能性があるという問題があった。【０００４】
ところで、空気調和装置の中には、冷媒循環回路が室内の近傍にも引き回されたものも提案されている。このような空気調和装置は、冷媒としてＨＣＦ冷媒を採用している場合には、室内機にＨＦＣ等の冷媒が搬送されることとなる。このため、たとえば室内機側の配管が破損すると、冷媒が室内に漏洩してしまい、室内の環境を悪化させてしまうという問題があった。【０００５】
そこで、省エネルギー性に優れ、熱媒体の凍結防止を図り、室内機の近傍にＨＦＣ等の冷媒を循環させないように配管を構成した空気調和装置が提案されている（たとえば、特許文献２参照）。
特許文献２に記載の技術は、熱媒体配管の水の凍結を防止する凍結防止運転モードを備えたものである。この凍結防止運転モードは、圧縮機の停止中、又は、ポンプの停止中に、温度センサーの検出温度が設定温度以下になると、室外機を暖房モードで起動する。そして、高温高圧の冷媒と熱媒体とを熱交換させ、熱媒体配管の熱媒体の凍結を防止する運転モードである。
【先行技術文献】
【特許文献】
【０００６】
【特許文献１】特開２００３−３４３９３６号公報（たとえば、図１参照）
【特許文献２】ＷＯ２０１０／０５０００３Ａ１（たとえば、請求項１及び図１参照）
【発明の概要】
【発明が解決しようとする課題】
【０００７】
特許文献２に記載の技術では、たとえば冷房モード時における圧縮機の停止中に、温度センサーの検出温度が設定温度以下になり、凍結防止運転モードに移行した場合について考える。この場合には、暖房モードが実行されて熱媒体が加温され、熱媒体の凍結が抑制される。
ここで、凍結防止運転モードから、再び冷房モードに移行するときにおいて、目標とする室内温度を達成するために必要な熱媒体温度と、当該冷房モードの圧縮機起動時点での熱媒体温度との間に大きな差がある場合には、室内へドラフト感（過渡な冷感、温感）のある風を供給してしまい、ユーザーの快適性を損ねてしまう可能性があった。【０００８】
なお、ドラフト感がある風を室内に供給しないため、長時間、室内機の吹き出し風量を抑える運転をすると、室内が目標温度に達するまでに要する時間が増大してしまう可能性があった。【０００９】
本発明は、上記のような課題を解決するためになされたもので、運転開始直後からドラフト感が少ない（冷風感、温風感の感じられる）風を室内に供給できるとともに、目標室内温度に到達するまでに要する時間が増大してしまうことを抑制することが可能な空気調和装置を提供することを目的としている。
【課題を解決するための手段】
【００１０】
本発明に係る空気調和装置は、圧縮機と、熱源側熱交換器と、少なくとも１つの膨張弁と、冷媒と熱媒体とを熱交換する中間熱交換器とを有し、これらを冷媒配管で接続して構成した冷凍サイクル回路と、中間熱交換器と、熱媒体を搬送するポンプと、利用側熱交換器とを有し、これらが熱媒体配管で接続されて構成された熱媒体循環回路と、を有する空気調和装置において、圧縮機及びポンプが停止している間に、熱媒体温度が予め設定される温度範囲外となると、圧縮機及びポンプを駆動して、冷媒と熱媒体とを中間熱交換器で熱交換させ、熱媒体を加温又は冷却して熱媒体の温度を温度範囲内にする熱媒体温度調整運転モードを備えているものである。
【発明の効果】
【００１１】
本発明の空気調和装置によれば、圧縮機及びポンプの運転が一時的に停止し、外気などによって熱媒体の温度が変化してしまい、予め設定される温度範囲外となってしまっても、圧縮機及びポンプを駆動して、冷媒と熱媒体とを中間熱交換器で熱交換させ、熱媒体の温度を温度範囲内にすることができる。
これにより、本発明の空気調和装置は、運転開始直後からドラフト感が少ない風を室内に供給できるとともに、目標室内温度に到達するまでに要する時間が増大してしまうことを抑制することができる。
【図面の簡単な説明】
【００１２】
【図１】本発明の実施の形態に係る空気調和装置の全体構成図の一例である。
【図２】図１とは異なる空気調和装置の全体構成図の一例である。
【図３】本発明の実施の形態に係る空気調和装置の冷媒及び熱媒体用回路図の一例である。
【図４】全冷房運転時における冷媒および熱媒体の流れを示す回路図である。
【図５】全暖房運転時における冷媒および熱媒体の流れを示す回路図である。
【図６】冷房主体運転時における冷媒および熱媒体の流れを示す回路図である。
【図７】暖房主体運転時における冷媒および熱媒体の流れを示す回路図である。
【図８】熱媒体温度調整運転モードの動作を示すフローチャートである。
【図９】図８とは異なる熱媒体温度調整運転モードの動作を示すフローチャートである。
【発明を実施するための形態】
【００１３】
以下、本発明に係る空気調和装置の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
本実施の形態に係る空気調和装置は、運転開始直後からドラフト感が少ない風を空調空間（たとえば、室内、ビルの一室、倉庫など）に供給できるとともに、目標室内温度に到達するまでに要する時間増大を抑制するための運転モード（熱媒体温度調整運転モード）を備えたものである。
【００１４】
＜構成説明＞
図１は、実施の形態に係る空気調和装置の全体構成図の一例である。
本実施の形態に係る空気調和装置は、熱源装置（室外機）１と、室内等の空調に供される室内機２と、室外機１から離され、非空調空間８等に設置される中継ユニット３とを備えている。
熱源装置１と中継ユニット３は冷媒配管４で接続され、二相変化する冷媒または超臨界状態の冷媒（一次媒体）が循環する。中継ユニット３と室内機２は熱媒体配管５で接続され、水、ブラインまたは不凍液等の熱媒体（二次媒体）が循環する。中継ユニット３は、熱源装置１から送られてきた冷媒と室内機２から送られてきた熱媒体との間で熱交換等を行わせることができるように中間熱交換器１５ａ、１５ｂなどが搭載されている。
【００１５】
熱源装置１は、通常、ビル等の建物９の外部空間である室外空間６に配置される。室内機２は、ビルの建物９の内部の居室等の室内空間７に、加熱または冷却された空気を搬送できる位置に配置されている。
中継ユニット３は、熱源装置１および室内機２とは、別筐体になっており、冷媒配管４および熱媒体の熱媒体配管５で接続されて、室外空間６および室内空間７とは別の場所に設置できるようにされている。図１において、中継ユニット３は、建物９の内部ではあるが室内空間７とは別の空間である天井裏等の非空調空間８に設置されている。なお、中継ユニット３は、エレベータ等がある共用部等に設置することも可能である。 
【００１６】
熱源装置１と中継ユニット３は、２本の冷媒配管４を用いて接続できるように構成されている。また、中継ユニット３と各室内機２は、それぞれが２本の熱媒体配管５を用いて接続されている。このように２本の配管を用いて接続することにより、空気調和装置の施工が容易になる。 
【００１７】
図２は、図１とは異なる空気調和装置の全体構成図の一例である。図２に示すように、本実施の形態に係る空気調和装置は、中継ユニット３を複数備えたものであってもよい。すなわち、中継ユニット３を、１つの親中継ユニット３ａと、それから派生した２つの子中継ユニット３ｂ（１）、（２）に分けている。このようにすることにより、１つの親中継ユニット３ａに対し、子中継ユニット３ｂを複数接続できるようになる。なお、この構成においては、親中継ユニット３ａと子中継ユニット３ｂの間の接続配管は３本になっている。 
【００１８】
なお、図１及び図２にいて、室内機２は、天井カセット型を例に示してあるが、それに限定されるものではない。すなわち、室内機２は、たとえば天井埋込型、天井吊下式、室内空間７に直接またはダクト等により、加熱または冷却した空気を吹き出せるように構成されているものであれば、天井カセット型に限定されるものではない。 
【００１９】
また、熱源装置１は、建物９の外の室外空間６に設置されている場合を例に説明を行ったがそれに限定されるものではない。たとえば、熱源装置１は換気口付の機械室等の囲まれた空間に設定してもよく、熱源装置１を建物９の内部に設置して排気ダクトで廃熱を建物９の外に排気してもよく、あるいは水冷式の熱源装置を用いてそれを建物９の中に設置する等してもよい。 
【００２０】
また、中継ユニット３は、熱源装置１のそばに置くこともできる。ただし、中継ユニット３から室内機２までの距離が長すぎると、熱媒体の搬送動力が大きくなるため、省エネの効果が薄れる。このため、中継ユニット３を熱源装置１のそばに設置する場合においては、中継ユニット３から室内機２までの距離が長くなりすぎないように熱源装置１の設置位置を決定するとよい。 
【００２１】
次に、図１及び図２に示した空気調和装置の詳細な構成を説明する。図３は、実施の形態に係る空気調和装置の冷媒及び熱媒体用回路図の一例である。図３に示すように、空気調和装置は、図１及び図２の説明で述べた熱源装置１、室内機２、及び中継ユニット３を有している。なお、以下の説明において、本実施の形態に係る空気調和装置の中継ユニット３は、図２に示す１つの親中継ユニット３ａと、１つの子中継ユニット３ｂとを有しているものとして説明する。
【００２２】
熱源装置１は、冷媒を圧縮して吐出する圧縮機１０と、冷媒の流れを切り換える四方弁１１と、凝縮器（放熱器）又は蒸発器として機能する熱源側熱交換器１２と、冷房運転及び暖房運転にかかわらず冷媒の流れ方向を一定にすることが可能な逆止弁１３ａ、１３ｂ、１３ｃ、１３ｄと、余剰冷媒を貯留するアキュムレータ１７とが搭載されている。
室内機２は、蒸発器又は凝縮器として機能する利用側熱交換器２６ａ〜２６ｄを有している。
中継ユニット３は、親中継ユニット３ａ及び子中継ユニット３ｂを有している。親中継ユニット３ａは、冷媒の気相と液相を分離する気液分離器１４と、膨張弁（例えば電子膨張弁）１６ｅとを備えている。 
【００２３】
子中継ユニット３ｂは、冷媒と熱媒体とを熱交換させる中間熱交換器１５ａ、１５ｂと、冷媒を減圧させる膨張弁（例えば電子膨張弁）１６ａ〜１６ｄと、熱媒体を搬送するポンプ２１ａ、２１ｂと、熱媒体の流れを切り換える三方弁などの流路切替弁２２ａ〜２２ｄ及び流路切替弁２３ａ〜２３ｄとが搭載されている。
また、子中継ユニット３ｂは、熱媒体配管５のうち利用側熱交換器２６ａ〜２６ｄの入口側に、流路の開閉を行うことができる止め弁２４ａ〜２４ｄが設けられ、熱媒体配管５のうち利用側熱交換器２６ａ〜２６ｄの出口側に、熱媒体の流量を調整することができる流量調整弁２５ａ〜２５ｄが設けられている。
さらに、子中継ユニット３ｂは、各利用側熱交換器２６ａ〜２６ｄの入口側と出口側とを接続するバイパス２７ａ〜２７ｄが設けられている。なお、バイパス２７ａ〜２７ｄは、流量調整弁２５ａ〜２５ｄと、流路切替弁２３ａ〜２３ｄと利用側熱交換器２６ａ〜２６ｄとの間の熱媒体配管５と、を接続するように設けられている。
【００２４】
流路切替弁２２ａ〜２２ｄ、２３ａ〜２３ｄは、各利用側熱交換器２６ａ〜２６ｄの入口側流路と出口側流路に対応して設けられている。流路切替弁２２ａ〜２２ｄは、複数設置された中間熱交換器の間でそれらの出口側流路を切り替え、流路切替弁２３ａ〜２３ｄはそれらの入口側流路を切り替える。
本実施の形態の例では、流路切替弁２２ａ〜２２ｄが中間熱交換器１５ａ、１５ｂの間でそれらの出口側流路を切り替え、流路切替弁２３ａ〜２３ｄが中間熱交換器１５ａ、１５ｂの間でそれらの入口側流路を切り替える作用を果たしている。 
また、利用側熱交換器２６ａ〜２６ｄの入口側に、止め弁２４ａ〜２４ｄを、利用側熱交換器２６ａ〜２６ｄの出口側に、流量調整弁２５ａ〜２５ｄを、それぞれ備えている。さらに、各利用側熱交換器２６ａ〜２６ｄの入口側と出口側は、流量調整弁２５ａ〜２５ｄを介してバイパス２７ａ〜２７ｄで接続されている。 
【００２５】
子中継ユニット３ｂは、次に説明するように、第一〜第七の温度センサー及び圧力センサーを備えている。
子中継ユニット３ｂは、中間熱交換器１５ａ、１５ｂの熱媒体出口温度を検出する温度センサー（第一の温度センサー）３１ａ、３１ｂと、中間熱交換器１５ａ、１５ｂの熱媒体入口温度を検出する温度センサー（第二の温度センサー）３２ａ、３２ｂと、 利用側熱交換器２６ａ〜２６ｄの熱媒体入口温度を検出する温度センサー（第三の温度センサー）３３ａ〜３３ｄと、利用側熱交換器２６ａ〜２６ｄの熱媒体出口温度を検出する温度センサー（第四の温度センサー）３４ａ〜３４ｄとを有している。
また、子中継ユニット３ｂは、中間熱交換器１５ａの冷媒出口温度を検出する温度センサー（第五の温度センサー）３５と、中間熱交換器１５ｂの冷媒入口温度を検出する温度センサー（第六の温度センサー）３７と、中間熱交換器１５ｂの冷媒出口温度を検出する温度センサー（第七の温度センサー）３８とを有している。
さらに、子中継ユニット３ｂは、中間熱交換器１５ａの冷媒出口圧力を検出する圧力センサー３６と、室外機１に設けられ、外気温度を検出する外気温度センサー３９とを有している。
なお、これらの温度センサーおよび圧力センサーは、特に限定されるものではなく、各種の温度計、温度センサー、圧力計、圧力センサーが利用できる。 
【００２６】
そして、本実施の形態に係る空気調和装置は、圧縮機１０、四方弁１１、熱源側熱交換器１２、逆止弁１３ａ〜１３ｄ、気液分離器１４、膨張弁１６ａ〜１６ｅ、中間熱交換器１５ａ、１５ｂ、アキュムレータ１７が冷媒配管で接続されて構成された冷凍サイクル回路を有している。 
また、本実施の形態に係る空気調和装置は、中間熱交換器１５ａ、ポンプ２１ａ、流路切替弁２２ａ〜２２ｄ、止め弁２４ａ〜２４ｄ、利用側熱交換器２６ａ〜２６ｄ、流量調整弁２５ａ〜２５ｄ、流路切替弁２３ａ〜２３ｄが熱媒体配管で接続されて構成された熱媒体循環回路（第一の熱媒体循環回路とも称する）を有している。本実施の形態に係る空気調和装置は、中間熱交換器１５ｂ、ポンプ２１ｂ、流路切替弁２２ａ〜２２ｄ、止め弁２４ａ〜２４ｄ、利用側熱交換器２６ａ〜２６ｄ、流量調整弁２５ａ〜２５ｄ、流路切替弁２３ａ〜２３ｄが熱媒体配管で接続されて構成された熱媒体循環回路（第二の熱媒体循環回路とも称する）を有している。 
なお、図３に示すように、第一の熱媒体循環回路においては、各利用側熱交換器２６ａ〜２６ｄが中間熱交換器１５ａに並列接続され、第二の熱媒体循環回路においても、各利用側熱交換器２６ａ〜２６ｄが中間熱交換器１５ｂに対して並列接続されている。
【００２７】
また、熱源装置１にはそれを構成する機器を制御し、熱源装置１にいわゆる室外機としての動作を行わせる制御装置１００が設けられている。また、中継ユニット３にはそれを構成する機器を制御し、後述する動作を行わせる手段を備えた制御装置３００が設けられている。これらの制御装置１００、３００はマイコンなどから構成され、互いに通信可能に接続されている。次に、上記空気調和装置の各運転モードの動作について説明する。 
【００２８】
＜全冷房運転＞ 
図４は、全冷房運転時における冷媒および熱媒体の流れを示す回路図である。全冷房運転において、冷媒は、圧縮機１０により圧縮され、高温高圧のガス冷媒になり、四方弁１１を介して熱源側熱交換器１２に入る。冷媒は、そこで凝縮されて液化し、逆止弁１３ａを通って熱源装置１から流出し、冷媒配管４を通って中継ユニット３へ流入する。中継ユニット３において、冷媒は、気液分離器１４へ入り、膨張弁１６ｅおよび１６ａを通って、中間熱交換器１５ｂへ導入される。この際、膨張弁１６ａによって、冷媒は膨張させられて、低温低圧の二相冷媒となり、中間熱交換器１５ｂは蒸発器として作用する。冷媒は、中間熱交換器１５ｂにおいて低温低圧のガス冷媒となり、膨張弁１６ｃを通って、中継ユニット３から流出し、冷媒配管４を通って再び熱源装置１へ流入する。熱源装置１において、冷媒は、逆止弁１３ｄを通って、四方弁１１、アキュムレータ１７を介して、圧縮機１０へ吸い込まれる。この時、膨張弁１６ｂ、１６ｄは冷媒が流れないような小さい開度となっており、膨張弁１６ｃは全開状態とし圧力損失が起きないようにしている。 
【００２９】
次に、二次側の熱媒体（水、不凍液等）の動きについて説明する。中間熱交換器１５ｂにて、一次側の冷媒の冷熱が二次側の熱媒体に伝えられ、冷やされた熱媒体はポンプ２１ｂによって二次側の配管内を流動させられる。ポンプ２１ｂを出た熱媒体は、流路切替弁２２ａ〜２２ｄを介して、止め弁２４ａ〜２４ｄを通り、利用側熱交換器２６ａ〜２６ｄおよび流量調整弁２５ａ〜２５ｄに流入する。この時、流量調整弁２５ａ〜２５ｄの作用により、室内にて必要とされる空調負荷を賄うのに必要な流量の熱媒体だけが利用側熱交換器２６ａ〜２６ｄに流され、残りはバイパス２７ａ〜２７ｄを通って熱交換には寄与しない。バイパス２７ａ〜２７ｄを通った熱媒体は、利用側熱交換器２６ａ〜２６ｄを通った熱媒体と合流し、流路切替弁２３ａ〜２３ｄを通って、中間熱交換器１５ｂへ流入し、再びポンプ２１ｂへ吸い込まれる。 
なお、室内にて必要とされる空調負荷は、制御装置３００により、第三の温度センサー３３ａ〜３３ｄと第四の温度センサー３４ａ〜３４ｄの検出温度差を、予め定めた目標値に保つように、利用側熱交換器２６ａ〜２６ｄを通る熱媒体の流量を制御することにより、賄うことができる。そしてこれは、全暖房運転、冷房主体運転、暖房主体運転でも同様である。 
【００３０】
なお、熱負荷のない利用側熱交換器（サーモオフを含む）へは熱媒体を流す必要がないため、止め弁２４ａ〜２４ｄにより流路を閉じて、当該利用側熱交換器へ熱媒体が流れないようにする。図４においては、利用側熱交換器２６ａおよび２６ｂにおいては熱負荷があるため熱媒体を流しているが、利用側熱交換器２６ｃおよび２６ｄにおいては熱負荷がなく、対応する止め弁２４ｃ、２４ｄが閉となっている。 
【００３１】
＜全暖房運転＞ 
図５は、全暖房運転時における冷媒および熱媒体の流れを示す回路図である。全暖房運転において、冷媒は、圧縮機１０により圧縮され、高温高圧のガス冷媒になり、四方弁１１を介して、逆止弁１３ｂ通って熱源装置１から流出し、冷媒配管４を通って中継ユニット３へ流入する。中継ユニット３において、冷媒は、気液分離器１４を通って、中間熱交換器１５ａへ導入され、中間熱交換器１５ａにおいて凝縮されて液化し、膨張弁１６ｄおよび１６ｂを通って、中継ユニット３から流出する。この際、膨張弁１６ｂによって、冷媒は膨張させられて、低温低圧の二相冷媒となり、冷媒配管４を通って再び熱源装置１へ流入する。熱源装置１において、冷媒は、逆止弁１３ｃを通って、熱源側熱交換器１２へ導入され、熱源側熱交換器１２は蒸発器として作用する。冷媒は、そこで低温低圧のガス冷媒となり、四方弁１１、アキュムレータ１７を介して、圧縮機１０へ吸い込まれる。この時、膨張弁１６ｅと、膨張弁１６ａ若しくは１６ｃは、冷媒が流れないような小さい開度にしている。 
【００３２】
次に、二次側の熱媒体（水、不凍液等）の動きについて説明する。中間熱交換器１５ａにて、一次側の冷媒の温熱が二次側の熱媒体に伝えられ、暖められた熱媒体はポンプ２１ａによって二次側の配管内を流動させられる。ポンプ２１ａを出た熱媒体は、流路切替弁２２ａ〜２２ｄを介して、止め弁２４ａ〜２４ｄを通り、利用側熱交換器２６ａ〜２６ｄおよび流量調整弁２５ａ〜２５ｄに流入する。この時、流量調整弁２５ａ〜２５ｄの作用により、室内にて必要とされる空調負荷を賄うのに必要な流量の熱媒体だけが利用側熱交換器２６ａ〜２６ｄに流され、残りはバイパス２７ａ〜２７ｄを通って熱交換には寄与しない。バイパス２７ａ〜２７ｄを通った熱冷媒は、利用側熱交換器２６ａ〜２６ｄを通った熱媒体と合流し、流路切替弁２３ａ〜２３ｄを通って、中間熱交換器１５ａへ流入し、再びポンプ２１ａへ吸い込まれる。なお、室内にて必要とされる空調負荷は、第三の温度センサー３３ａ〜３３ｄと第四の温度センサー３４ａ〜３４ｄの検出温度差を予め目標値に保つように制御することにより、賄うことができる。 
【００３３】
この際、熱負荷のない利用側熱交換器（サーモオフを含む）へは熱媒体を流す必要がないため、止め弁２４ａ〜２４ｄにより流路を閉じて、当該利用側熱交換器へ熱媒体が流れないようにする。図５においては、利用側熱交換器２６ａおよび２６ｂにおいては熱負荷があるため熱媒体を流しているが、利用側熱交換器２６ｃおよび２６ｄにおいては熱負荷がなく、対応する止め弁２４ｃ、２４ｄが閉となっている。 
【００３４】
＜冷房主体運転＞ 
図６は、冷房主体運転時における冷媒および熱媒体の流れを示す回路図である。冷房主体運転において、冷媒は、圧縮機１０により圧縮され、高温高圧のガス冷媒になり、四方弁１１を介して熱源側熱交換器１２へ導入される。そこで、ガス状態の冷媒が凝縮して二相冷媒になり、二相状態にて熱源側熱交換器１２から流出し、逆止弁１３ａを通って熱源装置１から流出し、冷媒配管４を通って中継ユニット３へ流入する。中継ユニット３において、冷媒は、気液分離器１４へ入って、二相冷媒中のガス冷媒と液冷媒が分離され、ガス冷媒は、中間熱交換器１５ａへ導入され、中間熱交換器１５ａにおいて凝縮されて液化し、膨張弁１６ｄを通る。一方、気液分離器１４において分離された液冷媒は、膨張弁１６ｅへ流され、中間熱交換器１５ａにて凝縮液化して膨張弁１６ｄを通った液冷媒と合流し、膨張弁１６ａを通って、中間熱交換器１５ｂへ導入される。この際、膨張弁１６ａによって、冷媒は膨張させられて、低温低圧の二相冷媒となり、中間熱交換器１５ｂは蒸発器として作用する。冷媒は、中間熱交換器１５ｂにて低温低圧のガス冷媒となり、膨張弁１６ｃを通って、中継ユニット３を流出し、冷媒配管４を通って再び熱源装置１へ流入する。熱源装置１において、冷媒は、逆止弁１３ｄを通って、四方弁１１、アキュムレータ１７を介して、圧縮機１０へ吸い込まれる。この時、膨張弁１６ｂは冷媒が流れないような小さい開度となっており、膨張弁１６ｃは全開状態とし圧力損失が起きないようにしている。 
【００３５】
次に、二次側の熱媒体（水、不凍液等）の動きについて説明する。中間熱交換器１５ａにて、一次側の冷媒の温熱が二次側の熱媒体に伝えられ、暖められた熱媒体はポンプ２１ａによって二次側の配管内を流動させられる。また、中間熱交換器１５ｂにて、一次側の冷媒の冷熱が二次側の熱媒体に伝えられ、冷された熱媒体はポンプ２１ｂによって二次側の配管内を流動させられる。そして、ポンプ２１ａおよびポンプ２１ｂを出た熱媒体は、流路切替弁２２ａ〜２２ｄを介して、止め弁２４ａ〜２４ｄを通り、利用側熱交換器２６ａ〜２６ｄおよび流量調整弁２５ａ〜２５ｄに流入する。この時、流量調整弁２５ａ〜２５ｄの作用により、室内にて必要とされる空調負荷を賄うのに必要な流量の熱媒体だけが利用側熱交換器２６ａ〜２６ｄに流され、残りはバイパス２７ａ〜２７ｄを通って熱交換には寄与しない。バイパス２７ａ〜２７ｄを通った熱媒体は、利用側熱交換器２６ａ〜２６ｄを通った熱媒体と合流し、流路切替弁２３ａ〜２３ｄを通って、それぞれ、暖かい熱媒体は中間熱交換器１５ａへ流入し再びポンプ２１ａへ戻り、冷たい熱媒体は中間熱交換器１５ｂへ流入し再びポンプ２１ｂへ戻る。この間、暖かい熱媒体と冷たい熱媒体は、流路切替弁２２ａ〜２２ｄおよび２３ａ〜２３ｄの作用により、混合することなく、それぞれ温熱負荷、冷熱負荷がある利用側熱交換器２６ａ〜２６ｄへ導入される。なお、室内にて必要とされる空調負荷は、第三の温度センサー３３ａ〜３３ｄと第四の温度センサー３４ａ〜３４ｄの検出温度差を目標値に保つように制御することにより、賄うことができる。 
【００３６】
図６は、利用側熱交換器２６ａにて温熱負荷が発生し、利用側熱交換器２６ｂにて冷熱負荷が発生している状態を示している。 
【００３７】
また、この際、熱負荷のない利用側熱交換器（サーモオフを含む）へは熱媒体を流す必要がないため、止め弁２４ａ〜２４ｄにより流路を閉じて、利用側熱交換器へ熱媒体が流れないようにする。図６においては、利用側熱交換器２６ａおよび２６ｂにおいては熱負荷があるため熱媒体を流しているが、利用側熱交換器２６ｃおよび２６ｄにおいては熱負荷がなく、対応する止め弁２４ｃ、２４ｄが閉となっている。 
【００３８】
＜暖房主体運転＞ 
図７は、暖房主体運転時における冷媒および熱媒体の流れを示す回路図である。暖房主体運転において、冷媒は、圧縮機１０により圧縮され、高温高圧のガス冷媒になり、四方弁１１を介して、逆止弁１３ｂ通って熱源装置１から流出し、冷媒配管４を通って中継ユニット３へ流入する。中継ユニット３において、冷媒は、気液分離器１４を通って、中間熱交換器１５ａへ導入され、中間熱交換器１５ａにおいて凝縮されて液化する。その後、膨張弁１６ｄを通った冷媒は、膨張弁１６ａを通る流路と膨張弁１６ｂを通る流路に分けられる。膨張弁１６ａを通った冷媒は、膨張弁１６ａによって膨張させられて低温低圧の二相冷媒となり、中間熱交換器１５ｂへ流入し、中間熱交換器１５ｂは蒸発器として作用する。中間熱交換器１５ｂを出た冷媒は、蒸発してガス冷媒となって、膨張弁１６ｃを通る。一方、膨張弁１６ｂを通った冷媒は、膨張弁１６ｂによって膨張させられて低温低圧の二相冷媒となり、中間熱交換器１５ｂおよび膨張弁１６ｃを通った冷媒と合流して、より乾き度の大きい低温低圧の冷媒となる。そして、合流された冷媒は、中継ユニット３から流出し、冷媒配管４を通って再び熱源装置１へ流入する。熱源装置１において、冷媒は、逆止弁１３ｃを通って、熱源側熱交換器１２へ導入され、熱源側熱交換器１２は蒸発器として作用する。そこで、低温低圧の二相冷媒が蒸発されてガス冷媒となり、四方弁１１、アキュムレータ１７を介して、圧縮機１０へ吸い込まれる。この時、膨張弁１６ｅは冷媒が流れないような小さい開度としている。 
【００３９】
次に、二次側の熱媒体（水、不凍液等）の動きについて説明する。中間熱交換器１５ａにて、一次側の冷媒の温熱が二次側の熱媒体に伝えられ、暖められた熱媒体はポンプ２１ａによって二次側の配管内を流動させられる。また、中間熱交換器１５ｂにて、一次側の冷媒の冷熱が二次側の熱媒体に伝えられ、冷やされた熱媒体はポンプ２１ｂによって二次側の配管内を流動させられる。そして、ポンプ２１ａおよびポンプ２１ｂを出た熱媒体は、流路切替弁２２ａ〜２２ｄを介して、止め弁２４ａ〜２４ｄを通り、利用側熱交換器２６ａ〜２６ｄおよび流量調整弁２５ａ〜２５ｄに流入する。この時、流量調整弁２５ａ〜２５ｄの作用により、室内にて必要とされる空調負荷を賄うのに必要な流量の熱媒体だけが利用側熱交換器２６ａ〜２６ｄに流され、残りはバイパス２７ａ〜２７ｄを通って熱交換には寄与しない。バイパス２７ａ〜２７ｄを通った熱媒体は、利用側熱交換器２６ａ〜２６ｄを通った熱媒体と合流し、流路切替弁２３ａ〜２３ｄを通って、それぞれ、暖かい熱媒体は中間熱交換器１５ａへ流入し再びポンプ２１ａへ戻り、冷たい熱媒体は中間熱交換器１５ｂへ流入し再びポンプ２１ｂへ戻る。この間、暖かい熱媒体と冷たい熱媒体は、流路切替弁２２ａ〜２２ｄおよび２３ａ〜２３ｄの作用により、混合することなく、それぞれ温熱負荷、冷熱負荷がある利用側熱交換器２６ａ〜２６ｄへ導入される。なお、室内にて必要とされる空調負荷は、第三の温度センサー３３ａ〜３３ｄと第四の温度センサー３４ａ〜３４ｄの検出温度差を目標値に保つように制御することにより、賄うことができる
【００４０】
図７は、利用側熱交換器２６ａにて温熱負荷が発生し、利用側熱交換器２６ｂにて冷熱負荷が発生している状態を示している。 
【００４１】
また、この際、熱負荷のない利用側熱交換器（サーモオフを含む）へは熱媒体を流す必要がないため、止め弁２４ａ〜２４ｄにより流路を閉じて、利用側熱交換器へ熱媒体が流れないようにする。図７においては、利用側熱交換器２６ａおよび２６ｂにおいては熱負荷があるため熱媒体を流しているが、利用側熱交換器２６ｃおよび２６ｄにおいては熱負荷がなく、対応する止め弁２４ｃ、２４ｄが閉となっている。 
【００４２】
以上のように、利用側熱交換器２６ａ〜２６ｄにて暖房負荷が発生している場合は、対応する流路切替弁２２ａ〜２２ｄおよび２３ａ〜２３ｄを加熱用の中間熱交換器１５ａに接続される流路へ切り替え、利用側熱交換器２６ａ〜２６ｄにて冷房負荷が発生している場合は、対応する流路切替弁２２ａ〜２２ｄおよび２３ａ〜２３ｄを冷却用の中間熱交換器１５ｂに接続される流路へ切り替えることにより、各室内機２にて、暖房運転、冷房運転を自由に行うことができるようになる。 
【００４３】
なお、流路切替弁２２ａ〜２２ｄおよび２３ａ〜２３ｄは、三方弁等の三方流路を切り替えられるもの、開閉弁等の二方流路の開閉を行うものを２つ組み合わせる等、流路を切り替えられるものであればよい。また、流路切替弁は、ステッピングモータ駆動式の混合弁等の三方流路の流量を変化させられるものや、電子式膨張弁等の２方流路の流量を変化させられるものを２つ組み合わせるなどにより構成してもよい。その場合は、流路の突然の開閉によるウォーターハンマーを防ぐこともできる。
【００４４】
利用側熱交換器２６ａ〜２６ｄにおける熱負荷は、（１）式で表され、熱媒体の流量と密度と定圧比熱と、利用側熱交換器２６ａ〜２６ｄの入口と出口の熱媒体の温度差を乗じたものとなる。ここで、Ｖｗは熱媒体の流量、ρｗは熱媒体の密度、Ｃｐｗは熱媒体の定圧比熱、Ｔｗは熱媒体の温度、添字のｉｎは利用側熱交換器２６ａ〜２６ｄの熱媒体入口での値、添字のｏｕｔは利用側熱交換器２６ａ〜２６ｄの熱媒体出口での値を示す。 
【００４５】
【数１】
2014057550.tif 000003
【００４６】
利用側熱交換器２６ａ〜２６ｄへ流す熱媒体の流量が一定の場合、利用側熱交換器２６ａ〜２６ｄでの熱負荷の変化に応じ、熱媒体の入出口での温度差が変化する。そこで、利用側熱交換器２６ａ〜２６ｄの入出口の温度差を目標とし、これが予め定めた目標値に近づくように、流量調整弁２５ａ〜２５ｄを制御することにより、余分な熱媒体をバイパス２７ａ〜２７ｄへ流して、利用側熱交換器２６ａ〜２６ｄへ流れる流量を制御することができる。利用側熱交換器２６ａ〜２６ｄの入出口の温度差の目標値は、例えば５℃等に設定する。 
【００４７】
なお、図３〜図７では、流量調整弁２５ａ〜２５ｄが利用側熱交換器２６ａ〜２６ｄの下流側に設置する混合弁である場合を例に説明を行ったが、利用側熱交換器２６ａ〜２６ｄの上流側に設置する三方弁であってもよい。
【００４８】
＜従来の空気調和装置について＞
本実施の形態に係る空気調和装置は、リモコンなどの端末から出力される空調運転の指令が、システムを構成するユニットのうちの少なくとも１つに送信されることで、当該指令に対応する運転がなされる。すなわち、リモコンなどの端末からの出力が、たとえば全て暖房運転である場合においては、制御装置１００、３００が、全暖房運転を実施することができるように四方弁１１などを制御するということである。
【００４９】
ここで、全暖房運転、全冷房運転、暖房主体運転及び冷房主体運転を実施しているときには、中間熱交換器１５ａ、１５ｂを介して冷媒と、冷媒二次側の熱媒体とが熱交換しているため、熱媒体の温度は、一定に保たれている。
しかし、停止モードになると、熱媒体配管５内の熱媒体が、熱媒体配管５の周囲の空気などと熱交換する。すなわち、熱媒体温度が、周囲の空気温度（外気、室内側温度）に影響を受けるということである。これにより、熱媒体の温度が、特に夏季や冬季には冷房、暖房運転するのに適していない温度になる。なお、停止モードとは、空気調和装置の電源はＯＮになっているが、室内空間が目標温度に達した等により、一時的に空調運転を停止することを指す。なお、この停止モードにおいて、空調運転を停止とは、圧縮機１０、ポンプ２１ａ、２１ｂ、及び利用側熱交換器２６ａ〜２６ｄに付設されるファン（図示省略）の運転を停止しているモードである。但し、停止モードにおいては、熱源装置１は停止しているが、室内機２は送風運転をしている場合もある。
【００５０】
この停止モードから、冷房、又は暖房運転に移行した場合、（１）室内にドラフト感のある風を供給するか、（２）ドラフト感を抑制するために長時間にわたって室内機吹き出し風量を抑制した運転を実施することになる。
【００５１】
すなわち、（１）夏季においては、停止モード時に熱媒体の温度が上昇してしまう。このため、停止モードから冷房運転に移行すると、利用側熱交換器２６ａ〜２６ｄに温度の上昇した熱媒体が供給されるため、ファンを介して室内に供給される空気温度が上昇し、ユーザーにドラフト感（過渡な温感）を与えてしまうこととなる。
冬季においては、停止モード時に熱媒体の温度が低下してしまう。このため、停止モードから暖房運転に移行すると、利用側熱交換器２６ａ〜２６ｄに温度の低下した熱媒体が供給されるため、ファンを介して室内に供給される空気温度が低下し、ユーザーにドラフト感（過度な冷感）を与えてしまうことなる。
【００５２】
また、（２）熱媒体の温度が低下するまで（夏季）、或いは、熱媒体の温度が上昇するまで（冬季）、ファンの風量を抑制した運転を実施し、上記の（１）のドラフト感を抑制することもできる。しかし、この場合には、室内が目標温度に達するまでに要する時間が増大してしまう。
そこで、本実施の形態に係る空気調和装置は、図８及び図９に示すフローチャートの制御を実施し、（１）及び（２）の課題を解決することができるようになっている。
【００５３】
＜熱媒体温度調整運転モードについて＞
熱媒体温度調整運転モードは、熱媒体の凍結を防止する運転を実施し終えて、ポンプ２１ａ、２１ｂを停止した場合において、外気などを介して熱媒体が加温又は冷却されることで変化する熱媒体の温度を、予め定めた温度範囲内に収めるようにする運転モードである。具体的には、本実施の形態に係る空気調和装置は、２つの熱媒体温度調整運転モードを実施することができるようになっている。
【００５４】
（Ａ）一方は、外気温度センサー３９を利用しない場合の運転モードである。すなわち、本実施の形態の空気調和装置は外気温度センサー３９を有しているが、仮に有していなくとも、熱媒体温度調整運転モードを実施することができるということである。
（Ｂ）他方は、上記（Ａ）で実施する制御に加えて、さらに、外気温度センサー３９を利用した制御を実施する運転モードである。すなわち、他方は、外気温度センサー３９の検出結果に基づいて季節を予測し、上記（Ａ）では一定である予め定めた温度範囲を変化させる運転モードである。
なお、図６、７に示すように、本実施の形態に係る空気調和装置は、冷暖同時運転が可能なシステムを有している。このため、本実施の形態に係る空気調和装置の熱媒体温度調整運転モードは、冷房・暖房どちらのモードにも対応できるものとしている。
【００５５】
図８は、熱媒体温度調整運転モードの動作を示すフローチャートである。まず、上記（Ａ）にて述べた熱媒体温度調整運転モードについて説明する。なお、以下の説明においては、制御装置１００及び制御装置５００をまとめて「制御装置」と称するものとする。
【００５６】
（ＳＴＥＰ１）
制御装置は、圧縮機１０及びポンプ２１ａ、２１ｂが停止してから予め定めた時間（たとえば、１時間）が経過しているか否かを判定する。
予め定めた時間が経過している場合には、ＳＴＥＰ２に移る。
予め定めた時間が経過していない場合には、ＳＴＥＰ１を繰り返す。
【００５７】
（ＳＴＥＰ２）
制御装置は、ポンプ２１ａ、２１ｂを予め定めた時間だけ駆動する。
制御装置は、ポンプ２１ａ、２１ｂを予め定めた時間運転させた後はポンプ２１ａ、２１ｂを再び停止させ、ＳＴＥＰ３へ移る。
本ＳＴＥＰ２は、熱媒体の温度ムラによって、センサー近辺の温度が熱媒体の平均温度から逸脱しないようにするためのＳＴＥＰであり、時間を限定してポンプ２１ａ、２１ｂを駆動する。
【００５８】
（ＳＴＥＰ３）
制御装置は、熱媒体温度Ｔｗの検出結果が、設定下限値ＴＬ以上であり、且つ、設定上限値ＴＨ以下であるか否かを判定する。たとえば、基準となる温度を２０℃とたとき、±５℃の範囲内（ＴＬ＝１５℃、ＴＨ＝２５℃）に熱媒体温度Ｔｗが収まっているか否かを判定するということである。
範囲内に収まっている場合には、ＳＴＥＰ１に戻る。
範囲内に収まっていない場合には、ＳＴＥＰ４に移る。
【００５９】
（ＳＴＥＰ４）
制御装置は、熱媒体温度Ｔｗの検出結果が、設定上限値ＴＨ（たとえば、ＴＨ＝２５℃）よりも大きいか否かを判定する。すなわち、このＳＴＥＰ４では、水温が基準となる温度範囲の上限を超えているか否かの判定を実施するということである。
熱媒体温度ＴｗがＴＨよりも大きい場合には、ＳＴＥＰ９に移る。
熱媒体温度ＴｗＴＨよりも大きくない場合、すなわちＴＬよりも小さい場合には、ＳＴＥＰ５に移る。
【００６０】
（ＳＴＥＰ５）
制御装置は、暖房運転を実施するように各種機器を制御する。
本ＳＴＥＰ５では、ＴＬよりも小さくなっており、低くなりすぎた熱媒体温度をＴＬ以上に戻すため、暖房モードで運転させるようにしている。
このため、制御装置は、全暖房運転モードの冷媒及び熱媒体の流れになるように、圧縮機１０を起動し、四方弁１１を暖房側に切り換え、ポンプ２１ｂを起動し、膨張弁１６ａ、１６ｃ、１６ｅを開き、膨張弁１６ｂ、１６ｄを閉じる。また、暖房主体運転モード時のように冷媒及び熱媒体を流し、熱媒体を加温してもよい。
なお、室内機２ａ〜２ｄに付設されたファンが動いていると、室内に要求されていない風を供給することになる。このため、この室内機２ａ〜２ｄより吹き出される風量は、０又はドラフト感を感じ得ないような微風とする。
【００６１】
（ＳＴＥＰ６）
制御装置は、ＳＴＥＰ５の暖房運転を実施してから予め定めた時間が経過しているか否かを判定する。なお、この予め定めた時間は、たとえば、冷媒配管や枝配管の長さや太さに応じて設定するとよい。
予め定めた時間が経過している場合には、ＳＴＥＰ７に移る。
予め定めた時間が経過していない場合には、ＳＴＥＰ６を繰り返す。
【００６２】
（ＳＴＥＰ７）
制御装置は、熱媒体温度Ｔｗの検出結果が、設定下限値ＴＬ＋Ｃ（Ｃは、ハンチング防止定数）よりも大きいか否かを判定する。すなわち、本ＳＴＥＰ７では、熱媒体温度ＴｗがＴＬ＋Ｃよりも大きい範囲に収まっているかを判定する。
ＴＬ＋Ｃを超えている場合には、ＳＴＥＰ８に移る。
ＴＬ＋Ｃを超えていない場合には、ＳＴＥＰ７を繰り返す。つまり、熱媒体温度Ｔｗが、ＴＬ＋Ｃを超えていないため、ＴＬ＋Ｃを超えるまで暖房運転を継続することになる。
【００６３】
（ＳＴＥＰ８）
制御装置は、暖房運転を停止する。すなわち、制御装置は、圧縮機１０及びポンプ２１ａ、２１ｂを停止する。なお、制御装置は、本ＳＴＥＰ８の終了後、再び待機状態であるＳＴＥＰ１へと戻る。
【００６４】
（ＳＴＥＰ９）
制御装置は、冷房運転を実施するように各種機器を制御する。
本ＳＴＥＰ９では、熱媒体温度ＴｗがＴＨよりも大きくなっており、高くなりすぎた熱媒体温度をＴＨ以下に戻すため、冷房モードで運転させるようにしている。
このため、制御装置は、全冷房運転モードの冷媒及び熱媒体の流れになるように、圧縮機１０を起動し、四方弁１１を冷房側に切り換え、ポンプ２１ａを起動し、膨張弁１６ｂ、１６ｄを開き、膨張弁１６ａ、１６ｃ、１６ｅを閉じる。また、冷房主体運転モード時のように冷媒及び熱媒体を流し、熱媒体を冷却してもよい。
なお、室内機２ａ〜２ｄに付設されたファンが動いていると、室内に要求されていない風を供給することになる。このため、この室内機２ａ〜２ｄより吹き出される風量は、０又はドラフト感を感じ得ないような微風とする。
【００６５】
（ＳＴＥＰ１０）
制御装置は、ＳＴＥＰ５の冷房運転を実施してから予め定めた時間が経過しているか否かを判定する。なお、この予め定めた時間は、たとえば、冷媒配管や枝配管の長さや太さに応じて設定するとよい。
予め定めた時間が経過している場合には、ＳＴＥＰ１１に移る。
予め定めた時間が経過していない場合には、ＳＴＥＰ１０を繰り返す。
【００６６】
（ＳＴＥＰ１１）
制御装置は、熱媒体温度Ｔｗの検出結果が、設定上限値ＴＨ−Ｃ（Ｃは、ハンチング防止定数）よりも小さいか否かを判定する。すなわち、本ＳＴＥＰ１１では、熱媒体温度がＴＨ−Ｃよりも小さい範囲に収まっているかを判定する。
ＴＨ−Ｃを下回っている場合には、ＳＴＥＰ１２に移る。
ＴＨ−Ｃを下回っていない場合には、ＳＴＥＰ１１を繰り返す。つまり、熱媒体温度Ｔｗが、ＴＨ−Ｃを下回っていないため、ＴＨ−Ｃを下回るまで冷房運転を継続することになる。
【００６７】
（ＳＴＥＰ１２）
制御装置は、冷房運転を停止する。すなわち、制御装置は、圧縮機１０及びポンプ２１ａ、２１ｂを停止する。なお、制御装置は、本ＳＴＥＰ１２の終了後、再び待機状態であるＳＴＥＰ１へと戻る。
【００６８】
なお、ドラフト感を防止するためとはいえ、頻繁に室外機１（圧縮機１０及び四方弁１１）を起動させると省エネルギー性が損なわれることになる。このため、ＳＴＥＰ７やＳＴＥＰ１１では、熱媒体温度Ｔｗのハンチングにより、室外機１（圧縮機１０及び四方弁１１）が必要以上に発停を繰り返すことを防止するため、ハンチング防止定数Ｃを含めたうえで、熱媒体温度がＴＬ〜ＴＨの範囲内に収まっているか判定するようにしている。
【００６９】
また、図８では、基準となる温度を２０℃とし、±５℃の範囲内（ＴＬ＝１５℃、ＴＨ＝２５℃）に熱媒体温度Ｔｗが収まっているか否かという判定を実施する例を説明したが、それに限定されるものではなく、この基準となる温度は、任意に選択しても良い。
【００７０】
ただし、基準となる温度を、なるべく中間期の外気温度に近い温度を設定すれば、室外機１（圧縮機１０及び四方弁１１）の起動回数が減少し、省エネルギー性を向上させることが出来る。
すなわち、本実施の形態に係る空気調和装置は、停止モード時においても、圧縮機１０及びポンプ２１ａ、２１ｂを駆動し、ドラフト感を与えないように熱媒体温度を予め定めた範囲内に保つため、その分のエネルギーを消費している。しかし、基準となる温度を、たとえば中間期の外気温度に近い温度等に設定することで、この消費するエネルギーを抑制し、空気調和装置の省エネルギー性を向上させることが出来る。
【００７１】
なお、本実施の形態に係る空気調和装置は、制御装置が、ポンプ２１ａ、２１ｂを駆動させるよりも前、又は、駆動させるのと同時（同時には略同時を含む）に、熱媒体の循環流路が確保される方向に流路切替弁２２ａ〜２２ｄ、２３ａ〜２３ｄを切り換えるようにしている。これにより、熱媒体循環回路内の熱媒体は、中間熱交換器１５ａ、１５ｂで加温又は冷却された後に、中間熱交換器１５ａ、１５ｂ側から利用側熱交換器２６ａ〜２６ｄ側へ搬送されることとなり、熱媒体の温度ムラを抑制することができる。
【００７２】
図９は、図８とは異なる熱媒体温度調整運転モードの動作を示すフローチャートである。
先述した図８は、冷房運転又は暖房運転時における熱媒体温度を予め定めた温度範囲内となるように維持し、再度冷房運転又は暖房運転が開始しても、迅速に熱媒体温度を目標温度に冷却又は加温することができるようにする制御であった。すなわち、図８では、冷房運転及び暖房運転のうちのいずれを実施していても、迅速に熱媒体温度を目標温度にすることができるようになっている。
図９に示す熱媒体温度調整運転モードは、図８における予め定めた温度範囲を、外気温度に応じて変化させるようにした点で異なっている。より詳細には、図９に示す熱媒体温度調整運転モードでは、図８における予め定めた温度範囲の上限値及び下限値を、予めサンプリングした外気温度の平均値に応じて夏季、中間期（春季、秋期）、冬季の３パターンに変更するようにした点で異なっている。
【００７３】
（ＳＴＥＰ２１）
制御装置は、平均外気温度及び熱媒体温度を継続してサンプリングする。
本実施の形態では、制御装置が、１日又は数日程度の平均外気温度及び熱媒体温度を継続してサンプリングしている。本ＳＴＥＰ２１にてサンプリングされたデータは、後述するＳＴＥＰ２４−１〜ＳＴＥＰ２４−３における基準となる熱媒体温度の決定に利用される。
【００７４】
（ＳＴＥＰ２２）
制御装置は、圧縮機１０及びポンプ２１ａ、２１ｂが停止してから予め定めた時間（たとえば、１時間）が経過しているか否かを判定する。
予め定めた時間が経過している場合には、ＳＴＥＰ２３に移る。
予め定めた時間が経過していない場合には、ＳＴＥＰ２２を繰り返す。
【００７５】
（ＳＴＥＰ２３−１）
制御装置は、平均外気温度が１０℃より小さいか否かを判定する。
小さい場合には、ＳＴＥＰ２４−１に移る。
小さくない場合には、ＳＴＥＰ２３−２に移る。
【００７６】
（ＳＴＥＰ２３−２）
制御装置は、平均外気温度が１０℃以上であり、且つ、２０℃より小さい範囲内であるか否かを判定する。
平均外気温度が範囲内である場合には、ＳＴＥＰ２４−２に移る。
平均外気温度が範囲内でない場合には、ＳＴＥＰ２４−３に移る。
なお、ＳＴＥＰ３−１、３−２の閾値を１０℃、２０℃と設定しているが、この閾値は本実施の形態に係る空気調和装置が設置される地域毎、又は顧客の要望毎等に応じて変更しても良い。
【００７７】
（ＳＴＥＰ２４−１）
制御装置は、基準となる熱媒体温度を３０℃に設定する。なお、基準となる熱媒体温度Ｔｗｍを３０℃と設定したため、熱媒体の温度幅をたとえば±５℃と設定した場合には、設定下限値ＴＬｍが２５℃となり、設定上限値ＴＨｍが３５℃となる。
ＳＴＥＰ２３−１より外気温度が低かったことから、本ＳＴＥＰ２４−１では、冬季であることを前提とした温度設定となっている。すなわち、次回の実施される運転モードは暖房であると推測されることから、媒体温度は３０℃と高めに設定している。
【００７８】
（ＳＴＥＰ２４−２）
制御装置は、基準となる熱媒体温度Ｔｗｍを２０℃に設定する。なお、基準となる熱媒体温度Ｔｗｍを２０℃と設定したため、熱媒体の温度幅をたとえば±５℃と設定した場合には、設定下限値ＴＬｍが１５℃となり、設定上限値ＴＨｍが２５℃となる。
ＳＴＥＰ２３−２より外気温度が１０℃以上、２０℃未満であったことから、本ＳＴＥＰ２４−２では、中間季（春期、秋期）であることを前提とした温度設定となっている。すなわち、次回の実施される運転モードは暖房及び冷房のいずれも想定されるため、基準となる温度を２０℃とし、冷房及び暖房のどちらにも対応しやすいようにしている。
【００７９】
（ＳＴＥＰ２４−３）
制御装置は、基準となる熱媒体温度Ｔｗｍを１０℃に設定する。なお、基準となる熱媒体温度Ｔｗｍを１０℃と設定したため、熱媒体の温度幅をたとえば±５℃と設定した場合には、設定下限値ＴＬｍが５℃となり、設定上限値ＴＨｍが１５℃となる。
ＳＴＥＰ２３−２より外気温度が２０℃以上と高かったことから、本ＳＴＥＰ２４−３では、夏季であることを前提とした温度設定となっている。すなわち、次回の実施される運転モードは冷房であると推測されるため、基準となる温度を１０℃と低めに設定している。
なお、ＳＴＥＰ２４−１〜２４−３において、基準の熱媒体温度Ｔｗｍを３０℃、２０℃、１０℃と設定している。この温度Ｔｗｍは、地域毎、又は顧客の要望毎等に応じて変更しても良い。たとえば、基準の熱媒体温度Ｔｗｍを、各々の季節の平均外気温度に近い温度設定することで、さらに省エネルギー性を向上させることが出来る。
【００８０】
以下のＳＴＥＰ２５〜ＳＴＥＰ３５は、図８のＳＴＥＰ２〜ＳＴＥＰ１２に対応する制御内容となっている。
【００８１】
（ＳＴＥＰ２５）
制御装置は、ポンプ２１ａ、２１ｂを予め定めた時間だけ駆動する。
制御装置は、ポンプ２１ａ、２１ｂを予め定めた時間駆動させた後はポンプ２１ａ、２１ｂを再び停止させ、ＳＴＥＰ２６へ移る。
本ＳＴＥＰ２５は、図８のＳＴＥＰ２と同様に、熱媒体の温度ムラによって、センサー近辺の温度が熱媒体の平均温度から逸脱しないようにするためのＳＴＥＰであり、時間を限定してポンプ２１ａ、２１ｂを駆動する。
【００８２】
（ＳＴＥＰ２６）
制御装置は、熱媒体温度Ｔｗの検出結果が、設定下限値ＴＬｍ以上であり、且つ、設定上限値ＴＨｍ以下であるか否かを判定する。たとえば、ＳＴＥＰ２４−２を介して本ＳＴＥＰ２６に至っている場合には、基準となる温度が２０℃であり、±５℃の範囲内（ＴＬｍ＝１５℃、ＴＨｍ＝２５℃）に熱媒体温度Ｔｗが収まっているか否かを判定するということである。
範囲内に収まっている場合には、ＳＴＥＰ２１に戻る。
範囲内に収まっていない場合には、ＳＴＥＰ２７に移る。
【００８３】
（ＳＴＥＰ２７）
制御装置は、熱媒体温度Ｔｗの検出結果が、設定上限値ＴＨｍ（たとえば、ＴＨｍ＝２５℃）よりも大きいか否かを判定する。すなわち、このＳＴＥＰ２７では、熱媒体温度Ｔｗが基準となる温度範囲の上限を超えているか否かの判定を実施するということである。
ＴＨｍよりも大きい場合には、ＳＴＥＰ３２に移る。
ＴＨｍよりも大きい場合、すなわちＴＬｍよりも小さい場合には、ＳＴＥＰ２８に移る。
【００８４】
（ＳＴＥＰ２８）
制御装置は、暖房運転を実施するように各種機器を制御する。
本ＳＴＥＰ２８では、ＴＬｍよりも小さくなっており、低くなりすぎた熱媒体温度をＴＬｍ以上に戻すため、暖房モードで運転させるようにしている。
このため、制御装置は、全暖房運転モードの冷媒及び熱媒体の流れになるように、圧縮機１０を起動し、四方弁１１を暖房側に切り換え、ポンプ２１ｂを起動し、膨張弁１６ａ、１６ｃ、１６ｅを開き、膨張弁１６ｂ、１６ｄを閉じる。また、暖房主体運転モード時のように冷媒及び熱媒体を流し、熱媒体を加温してもよい。
なお、室内機２ａ〜２ｄに付設されたファンが動いていると、室内に要求されていない風を供給することになる。このため、この室内機２ａ〜２ｄより吹き出される風量は、０又はドラフト感を感じ得ないような微風とする。
【００８５】
（ＳＴＥＰ２９）
制御装置は、ＳＴＥＰ２９の暖房運転を実施してから予め定めた時間が経過しているか否かを判定する。なお、この予め定めた時間は、たとえば、冷媒配管や枝配管の長さや太さに応じて設定するとよい。
予め定めた時間が経過している場合には、ＳＴＥＰ３０に移る。
予め定めた時間が経過していない場合には、ＳＴＥＰ２９を繰り返す。
【００８６】
（ＳＴＥＰ３０）
制御装置は、熱媒体温度Ｔｗの検出結果が、設定下限値ＴＬｍ＋Ｃ（Ｃは、ハンチング防止定数）よりも大きいか否かを判定する。すなわち、本ＳＴＥＰ３０では、熱媒体温度がＴＬｍ＋Ｃよりも大きい範囲に収まっているかを判定する。
ＴＬｍ＋Ｃを超えている場合には、ＳＴＥＰ３１に移る。
ＴＬｍ＋Ｃを超えていない場合には、ＳＴＥＰ３０を繰り返す。つまり、熱媒体温度Ｔｗが、ＴＬｍ＋Ｃを超えていないため、ＴＬｍ＋Ｃを超えるまで暖房運転を継続する。
【００８７】
（ＳＴＥＰ３１）
制御装置は、暖房運転を停止する。すなわち、制御装置は、圧縮機１０及びポンプ２１ａ、２１ｂを停止する。なお、制御装置は、本ＳＴＥＰ３１の終了後、再び待機状態であるＳＴＥＰ２１へと戻る。
【００８８】
（ＳＴＥＰ３２）
制御装置は、冷房運転を実施するように各種機器を制御する。
本ＳＴＥＰ３２では、ＴＨｍよりも大きくなっており、高くなりすぎた熱媒体温度をＴＨｍ以下に戻すため、冷房モードで運転させるようにしている。
このため、制御装置は、全冷房運転モードの冷媒及び熱媒体の流れになるように、圧縮機１０を起動し、四方弁１１を冷房側に切り換え、ポンプ２１ａを起動し、膨張弁１６ｂ、１６ｄを開き、膨張弁１６ａ、１６ｃ、１６ｅを閉じる。また、冷房主体運転モード時のように冷媒及び熱媒体を流し、熱媒体を冷却してもよい。
なお、室内機２ａ〜２ｄに付設されたファンが動いていると、室内に要求されていない風を供給することになる。このため、この室内機２ａ〜２ｄより吹き出される風量は、０又はドラフト感を感じ得ないような微風とする。
【００８９】
（ＳＴＥＰ３３）
制御装置は、ＳＴＥＰ３３の冷房運転を実施してから予め定めた時間が経過しているか否かを判定する。なお、この予め定めた時間は、たとえば、冷媒配管や枝配管の長さや太さに応じて設定するとよい。
予め定めた時間が経過している場合には、ＳＴＥＰ３４に移る。
予め定めた時間が経過していない場合には、ＳＴＥＰ３３を繰り返す。
【００９０】
（ＳＴＥＰ３４）
制御装置は、熱媒体温度Ｔｗの検出結果が、設定上限値ＴＨｍ−Ｃ（Ｃは、ハンチング防止定数）よりも小さいか否かを判定する。すなわち、本ＳＴＥＰ３４では、熱媒体温度がＴＨｍ−Ｃよりも小さい範囲に収まっているかを判定する。
ＴＨｍ−Ｃを下回っている場合には、ＳＴＥＰ３５に移る。
ＴＨｍ−Ｃを下回っていない場合には、ＳＴＥＰ３４を繰り返す。つまり、熱媒体温度Ｔｗが、ＴＨｍ−Ｃを下回っていないため、ＴＨｍ−Ｃを下回るまで冷房運転を継続することになる。
【００９１】
（ＳＴＥＰ３５）
制御装置は、冷房運転を停止する。すなわち、制御装置は、圧縮機１０及びポンプ２１ａ、２１ｂを停止する。なお、制御装置は、本ＳＴＥＰ３５の終了後、再び待機状態であるＳＴＥＰ２１へと戻る。
【００９２】
図９の説明に示すように、本実施の形態に係る空気調和装置は、平均外気温度から季節を推測し、目標熱媒体温度の値を決定する場合について説明したが、それに限定されるものではない。最後に実施した運転モードで、次回も運転がなされると想定されることから、たとえば最後に実施した運転を記録しておける機能を制御装置に具備させてもよい。すなわち、制御装置は、停止モードに至った場合には、これまでに行った運転モードの記録を参照し、当該記録された運転モードのうち制御装置が最後に実施した運転モードで、次回の運転を実施するということである。
【００９３】
冷媒としては、Ｒ−２２、Ｒ−１３４ａ等の単一冷媒、Ｒ−４１０Ａ、Ｒ−４０４Ａ等の擬似共沸混合冷媒、Ｒ−４０７Ｃ等の非共沸混合冷媒、化学式内に二重結合を含む、ＣＦ３ＣＦ＝ＣＨ２等の地球温暖化係数が比較的小さい値とされている冷媒やその混合物、あるいはＣＯ２やプロパン等の自然冷媒でもよい。 
【００９４】
なお、ここでは、冷媒回路にアキュムレータを含む構成としたが、アキュムレータがない回路でもよい。また、逆止弁１３ａ〜１３ｄがある場合について説明したが、これらも必須の部品ではなく、これらがない回路により本発明を構成して、同様の動作および同様の効果を奏することができる。 
【００９５】
また、熱源側熱交換器１２および利用側熱交換器２６ａ〜２６ｄには、送風機を取り付け、送風により凝縮あるいは蒸発を促進させることが好ましい。ただし、これに限るものではなく、例えば利用側熱交換器２６ａ〜２６ｄとしては放射を利用したパネルヒータのようなものも用いることができるし、熱源側熱交換器１２としては、水や不凍液により熱を移動させる水冷式のタイプも用いることができ、放熱あるいは吸熱をできる構造のものであればどんなものでも用いることができる。 
【００９６】
また、ここでは、利用側熱交換器２６ａ〜２６ｄが４つである場合を例に説明を行ったが、利用側熱交換器の台数には制限されない。 
【００９７】
また、流路切替弁２２ａ〜２２ｄ、２３ａ〜２３ｄ、止め弁２４ａ〜２４ｄ、流量調整弁２５ａ〜２５ｄは、各利用側熱交換器２６ａ〜２６ｄにそれぞれ１つづつ接続される場合について説明したが、これに限るものではなく、各利用側熱交換器１つに対し、それぞれが複数接続されていてもよい。その場合には、同じ利用側熱交換器に接続されている、流路切替弁、止め弁、流量調整弁を同じように動作させればよい。 
【００９８】
また、上記の実施の形態では、加熱用の中間熱交換器１５ａと、冷却用の中間熱交換器１５ｂがある場合を例に説明を行ったが、これに限るものではない。暖房または冷房のみであれば、中間熱交換器は一台で済む。その場合には、熱媒体温度調整運転時、別の中間熱交換器に熱媒体を通す必要がないため、その流路はより簡素化される。また、加熱用の中間熱交換器１５ａと冷却用の中間熱交換器１５ｂとを１組以上設けても良い。 
【００９９】
また、図３等の三方流路型の流量調整弁２５ａ〜２５ｄに代えて、ステッピングモータ等により開口面積を連続的に変化させられる二方流路調整弁の流量調整弁を用いることもできる。この場合の制御は、三方流路調整弁の場合と類似であり、二方流路調整弁の開度を調整して、利用側熱交換器２６ａ〜２６ｄへ流入させる流量を制御して、利用側熱交換器２６ａ〜２６ｄの入口と出口の温度差が予め定めた目標値、例えば５℃、になるように制御する。その上で、中間熱交換器１５ａ、１５ｂの入口側または出口側の温度が、予め定めた目標値になるようにポンプ２１ａ、２１ｂの回転数を制御すればよい。流量調整弁２５ａ〜２５ｄとして二方流路調整弁を用いると、流路の開閉にも用いることができるため、止め弁２４ａ〜２４ｄが不要になり、安価にシステムを構築できるというメリットがある。 
【０１００】
また、ここでは、流量調整弁２５ａ〜２５ｄ、第三の温度センサー３３ａ〜３３ｄ、第四の温度センサー３４ａ〜３４ｄが、中継ユニット３の内部に設置されている場合を例に説明を行ったが、これに限るものではなく、これらを利用側熱交換器２６ａ〜２６ｄの近く、すなわち、室内機２の内部または近くに設置するようにしても、機能的には何ら問題はなく、同様の動作をし、同様の効果を奏する。また、流量調整弁２５ａ〜２５ｄとして二方流路調整弁を用いた場合は、第三の温度センサー３３ａ〜３３ｄ、第四の温度センサー３４ａ〜３４ｄを中継ユニット３の内部あるいは近傍に設置し、流量調整弁２５ａ〜２５ｄを室内機２の内部あるいは近傍に設置するようにしてもよい。 
【０１０１】
以上のように本実施の形態の空気調和装置は、熱媒体の温度が設定温度範囲を逸脱した
場合に、ポンプを動作させ熱媒体を循環させる、室外機を完結的に起動させる等の熱媒体温度を調整する運転を行うことにより、室内にドラフト感が少ない風を供給でき、室内温度も目標とする室内温度に比較的短時間で達することが出来る。
【０１０２】
［本実施の形態に係る空気調和装置の有する効果］
停止モードに移行（空調運転が一時的に停止）して圧縮機及びポンプの運転が一時的に停止していると、外気などによって熱媒体の温度が変化してしまい、予め設定される温度範囲外となってしまう場合がある。しかし、本実施の形態に係る空気調和装置は、予め設定される温度範囲外となると、圧縮機１０及びポンプ２１ａ、２１ｂを駆動して、冷媒と熱媒体とを中間熱交換器１５ａ、１５ｂで熱交換させ、熱媒体の温度を予め設定される温度範囲内にすることができる。これにより、運転開始直後からドラフト感が少ない風を室内に供給できるとともに、目標室内温度に到達するまでに要する時間が増大してしまうことを抑制することができる。
【符号の説明】
【０１０３】
１  熱源装置（室外機）、２  室内機、３  中継ユニット、３ａ  親中継ユニット、３ｂ、３ｂ（１）、３ｂ（２）  子中継ユニット、４  冷媒配管、５  熱媒体配管、６  室外空間、７  室内空間、８  非空調空間、９  ビル等の建物、１０  圧縮機、１１  四方弁、１２  熱源側熱交換器、１３ａ〜１３ｄ  逆止弁、１４  気液分離器、１５ａ、１５ｂ  中間熱交換器、１６ａ〜１６ｅ、膨張弁、１７  アキュムレータ、２１ａ、２１ｂ  ポンプ、２２ａ〜２２ｄ  流路切替弁、２３ａ〜２３ｄ  流路切替弁、２４ａ〜２４ｄ  止め弁、２５ａ〜２５ｄ  流量調整弁、２６ａ〜２６ｄ  利用側熱交換器、２７ａ〜２７ｄ  バイパス、２８ａ、２８ｂ  バイパス止め弁、３１ａ、３１ｂ  第一の温度センサー、３２ａ、３２ｂ  第二の温度センサー、３３ａ〜３３ｄ  第三の温度センサー、３４ａ〜３４ｄ  第四の温度センサー、３５  第五の温度センサー、３６  圧力センサー、３７  第六の温度センサー、３８  第七の温度センサー、３９  第八の温度センサー。
【図１】
2014057550.tif 000004
【図２】
2014057550.tif 000005
【図３】
2014057550.tif 000006
【図４】
2014057550.tif 000007
【図５】
2014057550.tif 000008
【図６】
2014057550.tif 000009
【図７】
2014057550.tif 000010
【図８】
2014057550.tif 000011
【図９】
2014057550.tif 000012
【手続補正書】
【提出日】平成26年12月16日(2014.12.16)
【手続補正１】
【補正対象書類名】明細書
【補正対象項目名】００１０
【補正方法】変更
【補正の内容】
【００１０】
本発明に係る空気調和装置は、圧縮機と、熱源側熱交換器と、少なくとも１つの膨張弁と、冷媒と熱媒体とを熱交換する複数の中間熱交換器とを有し、これらを冷媒配管で接続して構成した冷凍サイクル回路と、前記中間熱交換器と、前記熱媒体を搬送するポンプと、利用側熱交換器とを有し、これらが熱媒体配管で接続されて構成された熱媒体循環回路と、を有し、前記圧縮機及び前記ポンプが停止している間に、熱媒体温度が予め設定される温度範囲外となると、前記圧縮機及び前記ポンプを駆動して、前記冷媒と前記熱媒体とを前記中間熱交換器で熱交換させ、前記熱媒体を加温又は冷却して前記熱媒体の温度を前記温度範囲内にする熱媒体温度調整運転モードを備えた空気調和装置において、前記熱媒体の温度を検出する温度センサーと、少なくとも前記温度センサーの検出結果に基づいて前記圧縮機及び前記ポンプを制御し、前記熱媒体温度調整運転モードを行う制御装置と、
前記熱媒体循環回路のうちの前記利用側熱交換器の前記熱媒体の入口側及び出口側のそれぞれに設けられ、複数の前記中間熱交換器を通過した前記熱媒体を、どの前記利用側熱交換器に供給するかを切り換える複数の流路切替弁と、を有し、前記制御装置は、２つ以上の前記中間熱交換器から前記利用側熱交換器に前記熱媒体が供給されるように前記流路切替弁を制御して、前記中間熱交換器の１つから前記利用側熱交換器に供給される前記熱媒体と、前記複数の中間熱交換器の他の１つから前記利用側熱交換器に供給される前記熱媒体とが、前記流路切替弁を介して混合するように制御し、前記制御装置は、前記温度センサーの検出結果が、前記温度範囲より大きい場合において、前記中間熱交換器を蒸発器として機能させ、当該中間熱交換器を通過する前記熱媒体を冷却するか、前記温度センサーの検出結果が、前記温度範囲より小さい場合において、前記中間熱交換器を放熱器として機能させ、当該中間熱交換器を通過する前記熱媒体を加温するかの少なくとも一方の制御を行うものである。
【手続補正２】
【補正対象書類名】特許請求の範囲
【補正対象項目名】全文
【補正方法】変更
【補正の内容】
【特許請求の範囲】
【請求項１】
圧縮機と、熱源側熱交換器と、少なくとも１つの膨張弁と、冷媒と熱媒体とを熱交換する複数の中間熱交換器とを有し、これらを冷媒配管で接続して構成した冷凍サイクル回路と、
前記中間熱交換器と、前記熱媒体を搬送するポンプと、利用側熱交換器とを有し、これらが熱媒体配管で接続されて構成された熱媒体循環回路と、を有し、
前記圧縮機及び前記ポンプが停止している間に、熱媒体温度が予め設定される温度範囲外となると、
前記圧縮機及び前記ポンプを駆動して、前記冷媒と前記熱媒体とを前記中間熱交換器で熱交換させ、前記熱媒体を加温又は冷却して前記熱媒体の温度を前記温度範囲内にする熱媒体温度調整運転モードを備えた空気調和装置において、
前記熱媒体の温度を検出する温度センサーと、
少なくとも前記温度センサーの検出結果に基づいて前記圧縮機及び前記ポンプを制御し、前記熱媒体温度調整運転モードを行う制御装置と、
前記熱媒体循環回路のうちの前記利用側熱交換器の前記熱媒体の入口側及び出口側のそれぞれに設けられ、複数の前記中間熱交換器を通過した前記熱媒体を、どの前記利用側熱交換器に供給するかを切り換える複数の流路切替弁と、
を有し、
前記制御装置は、
２つ以上の前記中間熱交換器から前記利用側熱交換器に前記熱媒体が供給されるように前記流路切替弁を制御して、前記中間熱交換器の１つから前記利用側熱交換器に供給される前記熱媒体と、前記複数の中間熱交換器の他の１つから前記利用側熱交換器に供給される前記熱媒体とが、前記流路切替弁を介して混合するように制御し、
前記制御装置は、
前記温度センサーの検出結果が、前記温度範囲より大きい場合において、前記中間熱交換器を蒸発器として機能させ、当該中間熱交換器を通過する前記熱媒体を冷却するか、
前記温度センサーの検出結果が、前記温度範囲より小さい場合において、前記中間熱交換器を放熱器として機能させ、当該中間熱交換器を通過する前記熱媒体を加温するかの少なくとも一方の制御を行う
ことを特徴とする空気調和装置。
【請求項２】
前記制御装置は、
前記圧縮機及び前記ポンプを駆動してから予め定めた時間が経過した後の前記温度センサーの検出結果が、前記温度範囲の下限値にハンチング防止定数を加えた値より大きく、且つ、前記温度範囲の上限値以下である場合には、
前記圧縮機及び前記ポンプを停止する
ことを特徴とする請求項１に記載の空気調和装置。
【請求項３】
前記制御装置は、
前記圧縮機及び前記ポンプを駆動してから予め定めた時間が経過した後の前記温度センサーの検出結果が、前記温度範囲の上限値にハンチング防止定数を減じた値より小さく、且つ、前記温度範囲の下限値以上である場合には、
前記圧縮機及び前記ポンプを停止する
ことを特徴とする請求項１に記載の空気調和装置。
【請求項４】
前記制御装置は、
前記ポンプを駆動させるよりも前、又は、駆動させるのと同時に、前記熱媒体の循環流路が確保される方向に前記流路切替弁を開き、
前記中間熱交換器と前記利用側熱交換器との間を前記熱媒体が循環するようにしている
ことを特徴とする請求項１〜３のいずれか一項に記載の空気調和装置。
【請求項５】
外気温度を検出する外気温度センサーを有し、
前記制御装置は、
前記外気温度センサーの検出結果に基づいて、予め定めた期間内の外気の平均温度を算出し、
当該算出した平均温度に基づいて、前記温度範囲の上限値及び下限値を決定する
ことを特徴とする請求項１〜４のいずれか一項に記載の空気調和装置。
【手続補正書】
【提出日】平成27年11月18日(2015.11.18)
【手続補正１】
【補正対象書類名】明細書
【補正対象項目名】００１０
【補正方法】変更
【補正の内容】
【００１０】
本発明に係る空気調和装置は、圧縮機と、熱源側熱交換器と、少なくとも１つの膨張弁と、冷媒と熱媒体とを熱交換する複数の中間熱交換器とを有し、これらを冷媒配管で接続して構成した冷凍サイクル回路と、前記中間熱交換器と、前記熱媒体を搬送するポンプと、利用側熱交換器とを有し、これらが熱媒体配管で接続されて構成された熱媒体循環回路と、を有し、前記圧縮機及び前記ポンプが停止している間に、熱媒体温度が予め設定される温度範囲外となると、前記圧縮機及び前記ポンプを駆動して、前記冷媒と前記熱媒体とを前記中間熱交換器で熱交換させ、前記熱媒体を加温又は冷却して前記熱媒体の温度を前記温度範囲内にする熱媒体温度調整運転モードを備えた空気調和装置において、前記熱媒体の温度を検出する温度センサーと、少なくとも前記温度センサーの検出結果に基づいて前記圧縮機及び前記ポンプを制御し、前記熱媒体温度調整運転モードを行う制御装置と、前記熱媒体循環回路のうちの前記利用側熱交換器の前記熱媒体の入口側及び出口側のそれぞれに設けられ、複数の前記中間熱交換器を通過した前記熱媒体を、どの前記利用側熱交換器に供給するかを切り換える複数の流路切替弁と、を有し、前記制御装置は、２つ以上の前記中間熱交換器から前記利用側熱交換器に前記熱媒体が供給されるように前記流路切替弁を制御して、前記中間熱交換器の１つから前記利用側熱交換器に供給される前記熱媒体と、前記複数の中間熱交換器の他の１つから前記利用側熱交換器に供給される前記熱媒体とが、前記流路切替弁を介して混合するように制御し、前記温度センサーの検出結果が前記温度範囲より大きい場合には、前記中間熱交換器を蒸発器として機能させ、当該中間熱交換器を通過する前記熱媒体を冷却する制御を行い、前記温度センサーの検出結果が前記温度範囲より小さい場合には、前記中間熱交換器を放熱器として機能させ、当該中間熱交換器を通過する前記熱媒体を加温する制御を行うものである。
【手続補正２】
【補正対象書類名】特許請求の範囲
【補正対象項目名】全文
【補正方法】変更
【補正の内容】
【特許請求の範囲】
【請求項１】
圧縮機と、熱源側熱交換器と、少なくとも１つの膨張弁と、冷媒と熱媒体とを熱交換する複数の中間熱交換器とを有し、これらを冷媒配管で接続して構成した冷凍サイクル回路と、
前記中間熱交換器と、前記熱媒体を搬送するポンプと、利用側熱交換器とを有し、これらが熱媒体配管で接続されて構成された熱媒体循環回路と、を有し、
前記圧縮機及び前記ポンプが停止している間に、熱媒体温度が予め設定される温度範囲外となると、
前記圧縮機及び前記ポンプを駆動して、前記冷媒と前記熱媒体とを前記中間熱交換器で熱交換させ、前記熱媒体を加温又は冷却して前記熱媒体の温度を前記温度範囲内にする熱媒体温度調整運転モードを備えた空気調和装置において、
前記熱媒体の温度を検出する温度センサーと、
少なくとも前記温度センサーの検出結果に基づいて前記圧縮機及び前記ポンプを制御し、前記熱媒体温度調整運転モードを行う制御装置と、
前記熱媒体循環回路のうちの前記利用側熱交換器の前記熱媒体の入口側及び出口側のそれぞれに設けられ、複数の前記中間熱交換器を通過した前記熱媒体を、どの前記利用側熱交換器に供給するかを切り換える複数の流路切替弁と、
を有し、
前記制御装置は、
２つ以上の前記中間熱交換器から前記利用側熱交換器に前記熱媒体が供給されるように前記流路切替弁を制御して、前記中間熱交換器の１つから前記利用側熱交換器に供給される前記熱媒体と、前記複数の中間熱交換器の他の１つから前記利用側熱交換器に供給される前記熱媒体とが、前記流路切替弁を介して混合するように制御し、
前記温度センサーの検出結果が前記温度範囲より大きい場合には、前記中間熱交換器を蒸発器として機能させ、当該中間熱交換器を通過する前記熱媒体を冷却する制御を行い、
前記温度センサーの検出結果が前記温度範囲より小さい場合には、前記中間熱交換器を放熱器として機能させ、当該中間熱交換器を通過する前記熱媒体を加温する制御を行う
ことを特徴とする空気調和装置。
【請求項２】
前記制御装置は、
前記温度センサーの検出結果が前記温度範囲より小さく、前記中間熱交換器を放熱器として機能させ、当該中間熱交換器を通過する前記熱媒体を加温する制御を行った場合において、
前記圧縮機及び前記ポンプを駆動してから予め定めた時間が経過した後の前記温度センサーの検出結果が、前記温度範囲の下限値に予め設定された定数を加えた値より大きく、且つ、前記温度範囲の上限値以下である場合には、
前記圧縮機及び前記ポンプを停止する
ことを特徴とする請求項１に記載の空気調和装置。
【請求項３】
前記制御装置は、
前記温度センサーの検出結果が前記温度範囲より大きく、前記中間熱交換器を蒸発器として機能させ、当該中間熱交換器を通過する前記熱媒体を冷却する制御を行った場合において、
前記圧縮機及び前記ポンプを駆動してから予め定めた時間が経過した後の前記温度センサーの検出結果が、前記温度範囲の上限値に予め設定された定数を減じた値より小さく、且つ、前記温度範囲の下限値以上である場合には、
前記圧縮機及び前記ポンプを停止する
ことを特徴とする請求項１に記載の空気調和装置。
【請求項４】
前記制御装置は、
前記ポンプを駆動させるよりも前、又は、駆動させるのと同時に、前記熱媒体の循環流路が確保される方向に前記流路切替弁を開き、
前記中間熱交換器と前記利用側熱交換器との間を前記熱媒体が循環するようにしている
ことを特徴とする請求項１〜３のいずれか一項に記載の空気調和装置。
【請求項５】
外気温度を検出する外気温度センサーを有し、
前記制御装置は、
前記外気温度センサーの検出結果に基づいて、予め定めた期間内の外気の平均温度を算出し、
当該算出した平均温度に基づいて、前記温度範囲の上限値及び下限値を決定する
ことを特徴とする請求項１〜４のいずれか一項に記載の空気調和装置。
【国際調査報告】
2014057550.tif 000013
2014057550.tif 000014
2014057550.tif 000015